(57)【特許請求の範囲】
【請求項１】
前面および背面を有した物体を静電的に吸引し保持するための静電チャックにおいて、
頂面および底面を有し、第１のチャンネル手段および第２のチャンネル手段が設けられている電極キャップと、
頂面および底面を有した下部電極とを備え、該下部電極の前記頂面は、前記電極キャップの前記底面に固定されており、該下部電極には、第３のチャンネル手段および第４のチャンネル手段が設けられており、該第３のチャンネル手段および第４のチャンネル手段は、前記下部電極を完全に貫通し、該下部電極の底面を該下部電極の頂面に接続し、前記下部電極の前記第３のチャンネル手段および前記電極キャップの前記第１のチャンネル手段は、前記下部電極の前記底面から前記物体の前記背面へ熱伝導性ガスを運ぶためのコンジットを形成し、前記電極キャップの前記第２のチャンネル手段および前記下部電極の前記第４のチャンネル手段は、前記下部電極の前記底面から前記電極キャップへ循環冷却液を運ぶコンジットを形成しており、
さらに、前記下部電極に取り付けられた前記静電チャックを加熱するための加熱手段であって、該加熱手段の少なくとも一部分は、前記下部電極の頂面および底面に対して垂直方向において、前記循環冷却液が前記電極キャップに入る箇所より下方に位置させられているような加熱手段と、
前記チャックを所定の温度に維持するためのフィードバックコントロールと、を備えることを特徴とする静電チャック。
【請求項２】
静電クランプ電圧を与えるように前記静電チャックにバイアスをかけるためのＤＣバイアス手段と、バイアス電力を前記物体へ加えるためのＲＦバイアス手段とをさらに備える請求項１に記載の静電チャック。
【請求項３】
前記フィードバックコントロールは、前記加熱手段を制御する手段および前記循環冷却液を制御する手段を含む請求項１記載の静電チャック。
【請求項４】
前記加熱手段を制御する前記手段は、前記加熱手段に与えられる可変電圧電力供給源を含み、前記加熱手段に与えられる電力の量は、制御されうる請求項３記載の静電チャック。
【請求項５】
前記循環冷却液を制御する前記手段は、前記電極キャップを通しての前記循環冷却液の流量を制御しうる液体流量コントローラを含む請求項３記載の静電チャック。
【請求項６】
前記加熱手段は、複数の抵抗円筒カートリッジヒータである請求項１記載の静電チャック。
【請求項７】
前記加熱手段は、抵抗ケーブルヒータである請求項１記載の静電チャック。
【請求項８】
前記加熱手段は、環状ストリップヒータである請求項１記載の静電チャック。
【請求項９】
前記電極キャップは、アルミニウムからなり、前記電極キャップの前記頂面には、酸化アルミニウムからなる誘電性層が設けられている請求項１記載の静電チャック。
【請求項１０】
前記電極キャップは、モリブデンからなり、前記電極キャップの前記頂面には、ダイアモンドからなる誘電性層が設けられている請求項１記載の静電チャック。
【請求項１１】
前記ダイアモンド誘電性層の厚さは、５−５０μｍである請求項１０記載の静電チャック。
【請求項１２】
前記電極キャップは金属製であり、前記電極キャップの前記頂面には、セラミックからなる誘電性層が設けられている請求項１記載の静電チャック。
【請求項１３】
前記セラミックは、窒化アルミニウムである請求項１２記載の静電チャック。
【請求項１４】
前記熱伝導性ガスは、ヘリウム、アルゴン、チッソまたは酸素である請求項１記載の静電チャック。
【請求項１５】
前記循環冷却液は、脱イオン化水、エチレングリコール、フルオリナート、シリコンオイル、または脱イオン化水およびエチレングリコールの混合物である請求項１記載の静電チャック。
【請求項１６】
前面および背面を有する物体を静電的に引きつけて保持する静電チャックにおいて、
第１のチャンネル手段と第２のチャンネル手段とが設けられ、頂面および底面を有する電極キャップと、
第３のチャネル手段と第４のチャネル手段とが設けられ、頂面および底面を有する下部電極であって、該下部電極の頂面は電極キャップの底面に固定され、前記第３のチャネル手段と第４のチャネル手段は下部電極の全体を通って、前記下部電極の底面を前記下部電極の頂面に接続し、前記下部電極の第３のチャネル手段と前記電極キャップの第１のチャネル手段は、熱伝導性ガスを前記下部電極の底面から前記物体の背面に運ぶコンジットを形成し、前記電極キャップの第２のチャネル手段と前記下部電極の第４のチャネル手段は、循環冷却液を前記下部電極の底面から前記電極キャップに運ぶコンジットを形成するような下部電極と、
少なくとも一部が、前記下部電極の頂面および底面に対して垂直方向において、循環冷却液が電極キャップに入る場所より下方に位置させられている、前記下部電極に搭載された複数の抵抗カートリッジヒータと、
前記抵抗カートリッジヒータを制御する手段と前記循環冷却液を制御する手段とを含む、チャックを所定の温度に維持するためのフィードバックコントロールとを備え、
抵抗カートリッジヒータを制御する前記手段は、前記抵抗カートリッジヒータに与えられる電力供給源を含み、抵抗カートリッジヒータを制御する前記手段は、前記抵抗カートリッジヒータに与えられる電力をオンもしくはオフに変えることができ、循環冷却液を制御する前記手段は、ソレノイド作動バルブを含み、循環冷却液を制御する前記手段は、電極キャップを通る循環冷却液の流れを通常の流れから細流に、もしくは、流れないように調整できることを特徴とする静電チャック。
【請求項１７】
電極キャップはアルミニウムから成り、電極キャップの頂面には酸化アルミニウムから成る絶縁層が施されている請求項１６に記載の静電チャック。
【請求項１８】
電極キャップはモリブデンから成り、電極キャップの頂面にはダイアモンドから成る絶縁層が施されている請求項１６に記載の静電チャック。
【請求項１９】
前面および背面を有する物体を静電的に引きつけて保持する静電チャックにおいて、
第１のチャンネル手段と第２のチャンネル手段とが設けられ、頂面および底面を有するキャップ上部及び頂面および底面を有するキャップ下部を含む電極キャップであって、キャップ下部の頂面はキャップ上部の底面に固定されているような電極キャップと、
第３のチャンネル手段と第４のチャンネル手段とが設けられ、頂面および底面を有する下部電極であって、下部電極の頂面は電極キャップの底面に固定され、第３のチャンネル手段と第４のチャンネル手段は下部電極の全体を通って、下部電極の底面を下部電極の頂面に接続し、下部電極の第３のチャンネル手段と電極キャップの第１の手段は、熱伝導性ガスを下部電極の底面から物体の背面に運ぶコンジットを形成し、電極キャップの第２のチャンネル手段と下部電極の第４のチャンネル手段は、循環冷却液を下部電極の底面から電極キャップに運ぶコンジットを形成するような下部電極と、
少なくとも一部が、前記下部電極の頂面および底面に対して垂直方向において、循環冷却液が電極キャップに入る場所より下方に位置させられている、下部電極に搭載された静電チャックを加熱するための加熱手段とを備えることを特徴とする静電チャック。
【請求項２０】
静電チャックにバイアスをかけて、静電クランプ電圧を与えるためのＤＣバイアス手段と、バイアス電力を物体に印加するためのＲＦバイアス手段とを更に備える請求項１９に記載の静電チャック。
【請求項２１】
前記静電チャックを所定温度に維持するフィードバックコントロールを更に備える請求項１９記載の静電チャック。
【請求項２２】
前記フィードバックコントロールは、前記加熱手段を制御する手段と、前記循環冷却液を制御する手段を含む請求項21記載の静電チャック。
【請求項２３】
前記加熱手段を制御する前記手段は、前記加熱手段へ付与される可変電圧電力供給源を含んでおり、これにより前記加熱手段に与えられる電力量が制御され得る、請求項２２記載の静電チャック。
【請求項２４】
前記循環冷却液を制御する前記手段は、液体流量コントローラを含んでおり、これにより前記電極キャップを通じる前記循環冷却液の流量が制御され得る、請求項２２記載の静電チャック。
【請求項２５】
前記加熱手段は複数の抵抗円筒カートリッジヒータである請求項１９記載の静電チャック。
【請求項２６】
前記加熱手段は抵抗ケーブルヒータである請求項１９記載の静電チャック。
【請求項２７】
前記加熱手段は環状ストリップヒータである請求項１９記載の静電チャック。
【請求項２８】
前記キャップ上部はアルミニウムから成り、前記電極キャップの頂面には酸化アルミニウムから成る誘電層が設けられている請求項１９記載の静電チャック。
【請求項２９】
前記キャップ上部はモリブデンから成り、前記電極キャップの頂面にはダイアモンドから成る誘電層が設けられている請求項１９記載の静電チャック。
【請求項３０】
前記ダイアモンドから成る誘電層の厚みは、５〜５０μｍである請求項２９記載の静電チャック。
【請求項３１】
前記キャップ上部は金属であり、前記電極キャップの頂面にはセラミックから成る誘電層が設けられている請求項１９記載の静電チャック。
【請求項３２】
前記セラミックは窒化アルミニウムである請求項１９記載の静電チャック。
【請求項３３】
前記熱伝導性ガスは、ヘリウム、アルゴン、窒素、若しくは酸素である請求項１９記載の静電チャック。
【請求項３４】
前記循環冷却液は、脱イオン水、エチレングリコール、フルオリナート、若しくは脱イオン水とエチレングリコールの混合物である請求項１９記載の静電チャック。
【請求項３５】
前面と背面を有する物体を静電的に引き付け、保持する静電チャックにおいて、
頂面および底面を有するキャップ上部と頂面および底面を有するキャップ下部とを含む電極キャップであって、前記キャップ下部の前記頂面は、前記キャップ上部の前記底面に固定されており、前記電極キャップには、第１のチャンネル手段と第２のチャンネル手段が設けられている、電極キャップと、
頂面および底面を有する下部電極であって、前記下部電極の頂面は、前記電極キャップの底面に固定されており、前記下部電極には、第３のチャンネル手段と第４のチャンネル手段が設けられており、前記第３のチャンネル手段と第４のチャンネル手段は、前記下部電極を全体的に通じて、前記下部電極の底面と前記下方電極の頂面を接続しており、ここで前記下部電極の前記第３のチャンネル手段と前記電極キャップの前記第１のチャンネル手段は、前記下部電極の前記底面から前記物体の前記背面へ熱伝導性ガスを運ぶるためにコンジットを形成しており、また、前記電極キャップの前記第２のチャンネル手段と前記下部電極の前記第４のチャンネル手段は、前記下部電極の前記底面から前記電極キャップへ循環冷却液を運ぶためにコンジットを形成している、下部電極と、
前記下部電極にて取り付けられる複数の抵抗カートリッジヒータであって、前記複数の抵抗カートリッジヒータの少なくとも一部は、垂直方向において、前記循環冷却液が前記電極キャップに入る場所よりも下方に位置させられている、複数の抵抗カートリッジヒータと、
前記抵抗カートリッジヒータを制御する手段と、前記循環冷却液を制御する手段とを含んでいて、前記静電チャックを所定温度に維持するフィードバックコントロールとを備え、
抵抗カートリッジヒータを制御する前記手段は、前記抵抗カートリッジヒータへ付与される電力供給源を含んでおり、抵抗カートリッジヒータを制御する前記手段は、前記抵抗カートリッジヒータへ付与される電力をオン状態とし若しくはオフ状態にすることができ、循環冷却液を制御する前記手段は、ソレノイド作動弁を含み、循環冷却液を制御する前記手段は、前記電極キャップを通じる前記循環冷却液の流れを標準流から細流若しくは無流へ調節することができることを特徴とする静電チャック。
【請求項３６】
キャップ上部はアルミニウムから構成され、そして電極キャップの頂面にアルミニウム酸化物から成る誘電層を設けた請求項３５に記載の静電チャック。
【請求項３７】
キャップ上部はモリブデンから構成され、そして電極キャップの頂面にはダイアモンドからなる誘電層が設けられる請求項３５に記載の静電チャック。
【請求項３８】
キャップ上部は金属であり、そして電極キャップの頂面には窒化アルミニウムから成る誘電層を設けた請求項３５に記載の静電チャック。
【請求項３９】
前面および背面を有する物体を静電気により引き付けて保持する静電チャックにおいて、頂面および底面を有する電極キャップ、頂面および底面を有する下部電極、静電チャックを加熱する加熱手段、前記の電極キャップの温度を測定する温度センサ、そして所定温度にチャックを維持するためのフィードバックコントロールを備え、前記の電極キャップには第１のチャンネル手段と第２のチャンネル手段とが設けられており、前記の下部電極の頂面は前記の電極キャップの底面へ固定され、前記の下部電極には第３のチャンネル手段と第４のチャンネル手段とが設けられており、これらの第３と第４のチャンネル手段は前記の下部電極を貫通し、前記の下部電極の底面を前記の下部電極の上面に接続し、前記の下部電極の第３のチャンネル手段と前記の電極キャップの第１のチャンネル手段とが形成するコンジットは熱伝導性ガスを前記の下部電極の底面から前記の物体の背面へ運び、そして前記の電極キャップの第２のチャンネル手段が形成するコンジットは循環冷却液を前記の下部電極の底面から前記の電極キャップへ運び、前記の加熱手段は前記の下部電極の底面に取り付けられ、前記のフィードバックコントロールは加熱手段を制御する手段と電極キャップを通る前記の循環冷却液の流れを制御する手段とを含んでいる事を特徴とする静電チャック。
【請求項４０】
前記の加熱手段は複数の抵抗カートリッジヒータである請求項３９に記載の静電チャック。
【請求項４１】
前面と背面とを有する物体の温度をプラズマ処理中制御する方法において、
頂面および底面を有する電極キャップ、頂面および底面を有する下部電極、静電チャックを加熱する加熱手段、前記の電極キャップの温度を感知する温度センサ、そして所定温度にチャックを維持するためのフィードバックコントロールを備え、前記の電極キャップには第１のチャンネル手段と第２のチャンネル手段とが設けられており、前記の下部電極の頂面は前記の電極キャップの底面へ固定され、前記の下部電極には第３のチャンネル手段と第４のチャンネル手段とが設けられており、これらの第３と第４のチャンネル手段は前記の下部電極を貫通し、前記の下部電極の底面を前記の下部電極の上面に接続し、前記の下部電極の第３のチャンネル手段と前記の電極キャップの第１のチャンネル手段とが形成するコンジットは熱伝導性ガスを前記の下部電極の底面から前記の物体の背面へ運び、そして前記の電極キャップの第２のチャンネル手段が形成するコンジットは循環冷却液を前記の下部電極の底面から前記の電極キャップへ運ぶようにした静電チャックを用意して、前記の電極キャップの上に前記の物体を配置し、
キャップの測定温度が所定範囲以下であるときはいつも前記の加熱手段をオンとし、そして前記の循環冷却液をオフとして前記の静電チャックを加熱し、そして
キャップの測定温度が前記の所定範囲以上であるときはいつも前記の加熱手段をオフとし、そして前記の循環冷却液をオンとして前記の静電チャックを冷却する
ことを特徴とする方法。
【請求項４２】
前記電極キャップが、陽極酸化アルミニウムによって被覆されている場合、キャップ温度の前記所定範囲は、２００℃以下であり、前記電極キャップが、ダイアモンド又はセラミックによって被覆されている場合、キャップ温度の前記所定範囲は、３５０℃未満である請求項４１に記載の方法。
【請求項４３】
物体の温度が３７５℃に保持されている請求項４２に記載の方法。
【請求項４４】
物体の温度が３７５℃に保持されている請求項４１に記載の方法。
【請求項４５】
物体が半導体ウエハである請求項４１に記載の方法。
【請求項４６】
物体が半導体ウエハである請求項１に記載の静電チャック。
【請求項４７】
物体が半導体ウエハである請求項１６に記載の静電チャック。
【請求項４８】
物体が半導体ウエハである請求項１９に記載の静電チャック。
【請求項４９】
物体が半導体ウエハである請求項３５に記載の静電チャック。
【請求項５０】
物体が半導体ウエハある請求項３９に記載の静電チャック。
【発明の詳細な説明】
発明の背景
１．発明の属する技術分野
本発明は、工作物を保持するための静電チャック（electrostatic chuck; ESC）に関する。特に、本発明は、集積回路の製造中に半導体ウエハの温度を保持し、制御するための能動的温度制御を行う静電チャックに関する。
２．従来の技術
多くのいろいろなチャックが処理中に半導体ウエハを保持するために広く用いられる。機械的チャックは支持面に対してウエハを押圧するために、アームやクランプを用いてウエハを固定する。クランプする力は、本来的に均一でなく、その結果、ウエハに一様でないストレスを生じ、それにより、変形や、ウエハと支持装置間の間の熱接触が一様でなくなってしまうことがありうる。真空チャックは、ウエハの背面の下の空間を真空にすることによってウエハを固定し、それによって処理チャンバとウエハの背面間の圧力差のためにクランプ力を発生する。真空チャックは、機械的チャックより一様なクランプ力を与えるが、多くの半導体の処理のために必要な低圧環境において、適当なクランプ力を発生するには、圧力差が不充分である。
静電チャックは、真空チャックのクランプ力をより一様にする利点と、機械的チャックの真空環境における使用の便利さを併せ持っている。静電チャック（ESC）において、電圧差がウエハと金属電極、即ち電極対間に与えられる。ウエハと電極は中間に配置された誘電対層によって分離されている。従って、発生する静電クランプ力の大きさは、印加電圧、ウエハと電極間の間隔、及び中間に配置された層の誘電定数に依存する。他のチャック装置に比べてそれらの利点として、ＥＳＣｓは、半導体処理産業における幅広い利用を可能にしている。
多くの半導体ウエハの処理応用において、処理中にウエハの温度を制御することが望ましい。上昇され、制御されたウエハ温度に適した処理は、プラズマ増強された化学気層堆積（ＣＶＤ）、エッチング、物理気層堆積（ＰＶＤ）等を含む。
チャックを加熱するための手段を内蔵する静電チャックは、従来技術に開示されている。加熱されたＥＳＣの例は、ＡbeのU. S. Patent  4,384,918に記載されている。Abe特許は、絶縁シートに埋め込まれた電極を有するバイポーラのESCを開示する。２つの電極間に与えられた電圧は、シートの上面上に配置された半導体ウエハを静電的にチャックする。この絶縁シートは電気的ヒータと共に構成される支持基体上に配置される。ウエハは、電極を含む絶縁シートを通して加熱された基体からの熱伝導によって加熱される。代わりに、基体はウオータジャケットによって冷却される。
’９１８特許における装置は、基体が加熱されるか、或いは異なる形状で冷却されることができる。しかし、加熱及び冷却を効率よく制御することができない。ウエハと絶縁シート間、及び前年シートと加熱された基体間の思わしくない、不均一な伝達、及び加熱と冷却の構成を合体するための手段のないことが達成すべき温度制御を難しくしている。
別の加熱したＥＳＣ（静電チャック）が、Loganに付与された米国特許第５、１５５、６５２号に開示されている。これは、スタック式に積んだ複合ＥＳＣアセンブリを用いる、処理中におけるウエハの温度サイクリングの方法を開示している。電気的に絶縁性で熱伝導性の複数の層に、導電性のパターンを持つ複数の層が挟まれている。この層アセンブリは、冷却チャンネルを持つ熱吸収ベースに接合されている。導電層の１つは、バイポーラーのＥＳＣクランプ電圧のための２つの電極を提供している。これらの層は、伝熱性熱吸収ベースに取付けられており、そのベースは、冷却液のチャンネルと、排気したりヘリウム等のガスを充満したりするチャンバとを備えている。
上記Logan特許の装置では、ウエハは、抵抗性加熱素子にエネルギーを与えて、ウエハを熱吸収ベースから絶縁するようにベース中のチャンバを排気することによって、加熱される。これとは別に、ウエハは、層アセンブリの次の層に伝熱するように、加熱素子のエネルギーをオフにして、ヘリウム等の伝熱性ガスを熱吸収ベースのチャンバに充満させることによって、冷却させることができる。
Loganの装置は、温度サイクリングが可能であるが、加熱機能と冷却機能とはウエハを所望の温度に維持するように一緒に作用することはない。更に、スタック式の複合アセンブリは、製造するのが複雑であり、ウエハと電極との間に挿置された窒化ほう素の分極の影響を受けやすい。これは、振動につながり、基層のチャック動作及びチャック外し動作における制御の喪失にさえなる。Loganの装置は、大きな熱フラックスがウエーハの熱暴走を阻止するために除去されねばならない高いバイアス電力応用分野には適していない。というのは、温度冷却チャンバは熱吸収ベースとの良好な熱伝達を阻止しているからである。
ノザワに付与された米国特許第５、２２１、４０３号は、温度制御ベース部材とウエーハを支持する取り外し可能な第２部材とを有するモノポーラ（単極性）ＥＳＣ装置を開示している。ベース部材は、所定の温度に保持された循環液のためのチャンネルを備えている。伝熱性ガスが、層中の最小空間を満たすことによって第１部材と第２部材との間に熱伝達を提供する。この米国特許において、伝熱性ガスの目的は、ウエハとベース部材とを、冷却液の温度の選択によって予め定められた同じ温度に維持することにある。従って、達成可能な温度は、用いる液の温度範囲に制限される。更に、ノザワのデザインは、高温／高バイアスの応用分野には適していない。これは、高いチャック温度（すなわち、約１００〜４００℃）に達するためには、高温の循環流体が必要になり、これが、安全面での危険となり、あるいは、クリーンルームとの両立ができない。更に重要なことは、循環液の高温が、処理中のＥＳＣから除去され得る熱の量を制限し、熱暴走を導くかもしれないことである。
現在市販のどのＥＳＣも、プラズマをベースとする処理におけるウエハの適正な温度制御を提供することはできない。ウエハを所定の上昇処理温度に維持できる装置が必要とされている。加熱機能と冷却機能とは、ウエハが精密に保持される、アクセス可能な温度の広い範囲を提供するように制御可能でなければならない。
発明の概要
一般に、本発明の目的は、改良された温度制御を備えたＥＳＣを提供することである。
本発明の別の目的は、加熱制御及び冷却制御の両方を備えたＥＳＣを提供することである。
本発明の別の目的は、所定の温度を維持するためにフィードバック制御を備えた能動的に温度制御されたＥＳＣを提供することである。
上記目的及び他の目的について以下説明し明らかにするが、それによれば、本発明は、半導体ウエハのような物体を静電的に保持するモノポーラ静電チャックに関し、このモノポーラ静電チャックは、
誘電性上面を有する金属電極キャップを備え、該電極キャップは、該電極キャップを冷却するために冷却液を循環させる第１組のチャンネルと、ウエハの背面を冷却するために熱伝導性ガスを流すことができるように電極キャップを通して延びる第２組のチャンネルとを有し、
冷却液と熱伝導性ガスを供給するために電極キャップとともに導管を形成する複数組のチャンネルを有する金属製下部電極を備え、該電極の上部表面は、電極キャップの下部表面と直接接触しているとともに、電極キャップの下部表面と下部電極の上部表面との間に耐熱性Ｏリングシールで機械的に固着されており、
電極キャップと下部電極の両方にＤＣ及び／またはＲＦ電圧を加える電圧供給手段を備え、それにより、電極キャップと電極キャップの上面に配置された物体との間に静電引力が発生され、
ＥＳＣを加熱する加熱手段を備え、
ウエハの温度を制御するフィードバック手段を備えている。
一般に、電極キャップは、硬い陽極処理被覆を有するアルミニウムのような適当な絶縁体で被覆された金属電極で構成されてもよい。絶縁体被覆は、アルミナ（約０．００２インチの陽極処理層の厚さを有する）または、窒化アルミニウムまたは他のセラミック材料のような他の適当な絶縁媒体であってもよい。キャップはまた、蒸着、スプレー、接着または他の同様な方法により配置された窒化アルミニウムのようなセラミックで被覆された金属プレートであってもよい。電極キャップは、ダイヤモンド被覆モリブデンまたはセラミックが金属プレートに接着されたもので構成されてもよい。特に、電極キャップは、約５〜５０μｍの厚さのダイヤモンド被覆を有するモリブデンで構成されてもよい。
別の実施例では、電極キャップは、二つの構成部品、すなわち、キャップ上部とキャップ下部で構成され、損傷したＥＳＣ表面の交換を容易にするとともに製造コストを低くする。一般に、電極キャップの上部は、硬い陽極処理被覆を有するアルミニウムのような適当な絶縁体で被覆された金属電極で構成されてもよい。絶縁体被覆は、アルミナまたは窒化アルミニウムまたは他のセラミック材料のような他の適当な絶縁媒体であってもよい。キャップの上部はまた、蒸着、スプレー、接着または他の同様な方法により配置された窒化アルミニウムのようなセラミックで被覆された金属プレートであってもよい。電極キャップの上部は、ダイヤモンド被覆モリブデンまたはセラミックが金属プレートに接着されたもので構成されてもよく、また、ねじ付きファスナーでキャップの下部に取りつけられＯリングでシールされてもよい。ヘリウムのような熱伝導性ガスがキャップの上部とキャップの下部との間に導入されて、層間の熱伝導を改良してもよい。
【図面の簡単な説明】
本発明の目的及び利点を更に理解するために、添付図面と組み合わせて以下の詳細な説明参照すべきである。
図１は、本発明の実施形態による静電チャックの概略断面図である。
図２は、本発明の別の実施形態による２（又は３）ピース電極キャップの概略断面図である。
図３は、本発明の更に別の実施形態による埋め込まれた螺旋ケーブルヒータを備える２又は３ピース電極キャップの概略断面図である。
図４は、本発明の更に別の実施形態による埋め込まれた環状螺旋ケーブルヒータを備える２又は３ピース電極キャップの概略断面図である。
好ましい実施形態の詳細な説明
本発明の実施形態を図１乃至４を参照して説明する。
図１は、本発明によるＥＳＣ１００の概略的断面図である。ＥＳＣの本体は、電極キャップ１と下部電極２とを含む。下部電極２は、例えば、陽極処理アルミニウムからなってよい。下部電極２の頂部表面は、電極キャップ１の底部表面と接触している。電極キャップ１と電極２との組立体は、ＥＳＣを処理チャンバから絶縁するために、電気的及び熱的絶縁リング３の頂部に配置される。セラミックリング３は、例えばＡｌ2Ｏ3からなってよい。
一般的には、電極キャップ１は、ハード陽極コーティングを伴うアルミニウムのような適当な絶縁体で被覆された金属電極からなる。絶縁被覆は、アルミニウム、窒化アルミニウム、又は他のセラミック材料のような他のどんな適当な絶縁媒体であってよい。例えば、電極キャップ１は、陽極処理アルミニウム（Ａｌ2Ｏ3）絶縁層を備えるアルミニウム金属電極であってよい。６０６１−Ｔ６又は５０５２−Ｈ３２のようなアルミニウム合金が適当に用いられうる。電極キャップ１の頂部表面の陽極被覆は、０．０２５４乃至０．１２７ｍｍ（０．００１乃至０．００５インチ）の厚さを備える、絶縁層１ｃを設ける。被覆は、多孔性でなく密封され、少なくとも５００ボルト／ミル（１ミル＝０．００１インチ＝０．０２５４ｍｍ）の電圧破壊耐性を提供する。絶縁層１ｃの頂部表面の平滑性及び平坦性の仕上げは、それぞれ約５．０８μｍ（約２０マイクロインチ）及び０．０２５４ｍｍ（０．００１インチ）より小さくなるべきである。別の実施形態では、電極キャップ１は、モリブデンからなり、キャップの絶縁層１ｃは、約５乃至５０μｍの厚さを備えるダイアモンド薄膜である。
電極キャップ１の角は、絶縁層１ｃの応力集中を最小にし、鋭い角による電界の増強を防ぐために、約０．５０８乃至２．５４ｍｍ（約０．０２乃至０．１０インチ）、好ましくは０．５０８乃至１．５２４ｍｍ（０．０２乃至０．０６インチ）の半径にすべきである（即ち、上端の角を図１に示すように丸くする）。表面及び裏面を備える半導体ウェハのような、チャックされるアーティクル４を、チャック表面１ｃの頂部表面と接触するウェハ４の裏面とを、チャック表面で配置させる。チャック表面１ｃの半径は、チャック表面をプラズマに曝さないようにするために数ミリだけウェハの半径よりも小さくすべきである。
ネジ付き機械固定具８が、電極キャップ１を下部電極２に取り付ける。図１に示すように、機械固定具８を含む電極キャップ１のリップ部分は、チャッキング表面１ｃを超えて延び、処理中ウエハ４の前面がプラズマに対して露出されないように保護する必要がある。図１に示すように、電極キャップ１のリップ部分上に保護リング１５を配置することにより、この保護を行うことができる。保護リング１５は、Ａｌ2Ｏ3等のセラミックで作ることが出来る。好適な実施例では、冷却ガスの電極キャップと下部電極との間の界面を通る漏れを最小にするため、Ｏリングシール９を設けることが出来る。
ヘリウム、アルゴン等の熱伝導性ガスをウエハ４の後面への経路を提供し、水冷却を容易にするため、チャンネル５、５ａ、５ｂが設けられる。熱伝導性ガスは、中央チャンネル５を通って、誘電層１ｃを通って延びるチャンネル５ａ、５ｂへ行き、ウエハ４の後面へ行く。それゆえ、伝導性ガスはチャンネルを通って供給され、ウエハの後面に存在する。図１の断面図では、２つのチャンネル５ａが示されるが、一般的には４から８のチャンネルが使用される。同様に簡単にするため１つのチャンネル５ｂのみを示すが、一般的には４から８のチャンネル５ｂが使用される。熱伝導性冷却ガスは、チャッキング表面１ｃの上面とウエハー４の後面の間の微小な空間を満たす。ガスの均一な分配を容易にして、熱移転を改善するため、チャッキング表面１ｃに溝（図示せず）を設けることも出来る。
循環液体の経路を供給し、電極キャップ１を積極的に冷却するため、チャンネル６と６ａが設けられる。冷却液は、水、又はエチレングリコール、シリコンオイル、フルオリナート（液体テフロン）、又は水/グリコール混合物等の好適な液体であってもよい。冷却速度は、異なる冷却液を使用することにより、冷却液の流量を変えることにより、又は冷却液の初期温度を変えることにより、制御することが出来る。冷却液の温度は、２０〜２５０℃であるが、２０〜１５０℃の範囲が好ましく、２０〜１００℃の範囲がさらに好ましい。
電気結線（図示せず）が、ウエハの処理中、電極キャップ１と下部電極２の両方にＲＦ電力を供給する。ＲＦ電力は、一般的にＤＣバイアス−１０００Ｖ未満で約０〜３０００Ｗである。他の１組の電気結線（図示せず）が、電極キャップ１と下部電極２の両方に、約１５０〜５００Ｖ，好ましくは約３００Ｖのクランプ電圧を供給する。
温度センサー７が、積極的に電極キャップ１の温度をモニターする。温度センサーは、例えば電極キャップ１と熱接触して置かれた熱電対である。１つ又はそれ以上の抵抗カートリッジ電気ヒーター１０が、下部電極２内に取り付けられ、電極を約１００〜３５０℃の温度に加熱する。陽極酸化されたアルミニウムキャップのため、キャップ温度は一般に２００℃以下（通常１００〜１５０℃）に保持され、陽極処理された層とベース金属の熱膨張係数が異なることによる陽極酸化膜のクラックを防止する。ダイアモンド又はセラミックでコーティングされた設計では、キャップ温度はより高くすることが出来るが、一般に３５０℃未満である。好適な実施例では、２つのカートリッジヒーターがオン／オフモードで作動することができ、冷却液体、フルオリナートが固定流量で循環することができ、またオン／オフモードで作動することができる。
所望のウエハ温度を維持するため、循環冷却材は電極キャップ１内のチャンネル６ａを通って流れＥＳＣを冷却し、電力が抵抗ヒータ１０に供給されＥＳＣを加熱する。循環冷却材の流通は、ヒータがＥＳＣを加熱するためにオンの間は止められ、ヒータがＥＳＣを冷却するためにオフの間は行われる。二者択一的に、循環冷却剤を絶えず流すことも可能である。フィードバック制御ループを介して、ヒータ入力及び循環冷却剤の流通は調節され、チャックが所望の温度に維持されるようになっている。
フィードバック制御システムは電極キャップ１の即時の温度測定値を使用し、要求される冷却材の流量及びヒータ入力を決定し、電極キャップを所望の温度に維持する。例えば、商業上利用できる温度コントローラは温度センサ７を読み取ることができる。チャックの温度が所定温度より高い場合には、温度コントローラはソレノイドスイッチを操作し、冷却剤液体の流れをＥＳＣ内のチャネルに導き、加熱エレメントへの電力を切り離す。ウエハ温度が所定温度より低い場合には、温度コントローラはソレノイドスイッチを操作し、冷却材液体の流れをＥＳＣを迂回する経路にそらし、加熱エレメントへ電力を通すことができる。二者択一的には、温度コントローラは電子流量コントローラを操作し、冷却材液体の流量割合を減少又は増加させ、従って、冷却割合を変化させる。温度コントローラは又、可変電力供給を操作し、加熱エレメントへの入力電力を増加又は減少させ、加熱割合を減少又は増加させる。
所定の処理条件（例えば、圧力、電源電力、バイアス電力等）に対して、適切なＥＳＣ温度及び後方の圧力を選択し、所望のウエハ温度に到達及び維持することができる。例として、誘電性ギャップがＳｉＯ2の堆積で充填される高密度プラズマに対して、約３７５℃のウエハ温度を望んでもよい。このＥＳＣの設計では、最初の過渡現象に続いて（約３０秒）、フッ化温度プローブ（ＬｕｘｔｒｏｎTM）により決定されるように、２０００Ｗのバイアス電力でいつまでも約３７５℃の所望のウエハ温度を維持することができる。この例に一致する代表的なＥＳＣパラメータは次の通りである。２個の４００Ｗのカートリッジヒータ；０．６ガル／ｍｉｎの流量で５５℃でグリコールと水が半々の液体冷却材；２トルの後方ヘリウム圧力；１２０℃の電極キャップ温度で−３００Ｖのクランピング電圧；２５００Ｗの電源電力及び２０００Ｗのバイアス電力。同じウエハ温度を達する低いバイアス電力に対して、より高いＥＳＣ温度を使用するかもしれない。より低いウエハ温度を得るため、ヘリウム圧力を増加させ又は電極キャップ温度を減少させるかもしれない。
別の実施例では、電極キャップは２個含むことができる。図２はキャップ頂部１ａとキャップ底部１ｂとを有する２個の電極キャップの概略断面図である。２個の電極キャップの使用は損傷したＥＳＣ表面の変更を容易にし、機械加工コストを減少させる。一般に、電極キャップ頂部１ａは堅い陽極酸化被膜を有するアルミニウムのように、適当な絶縁体で被覆された金属電極からなっている。絶縁体被覆はアルミナ又はアルミニウム窒化物又は他のセラミック材料のような他の適当な絶縁媒体とすることができる。キャップ頂部１ａは又、堆積、噴霧、ボンディング又は他の同等の処理を通してその上に配置されるアルムニウム窒化物のようなセラミックで被覆された金属プレートであってもよい。キャップ頂部１ａは又、アルミニウム窒化物のように、金属プレートに接続される、ダイヤモンド被覆されたモリブデン、又はセラミックから作られてもよい。（キャップ頂部とキャップ底部とを有する電極キャップは、キャップ頂部が金属プレートに接続されるセラミックであり、３個の電極キャップと考えることができる。しかし、簡単のため、ここでは２個のキャップとして引用されている。）キャップ頂部１ａは細長の留め金具１１を有すると共に高温使用に適しているＯリング１６（ＫａｌｒｅｚTMのＯリング等）でシールされた真空のキャップ底部１ｂに取り付けられている。簡単のため、１個の留め金具１１だけが図２の断面図に示されているが、通常は４以上の留め金具が使用される。
ヘリウムの様な熱伝導性冷却ガスが、チャネル５ａ及び５ｃによってクランプ面１ｃに与えられる。典型的には、４乃至８つのチャネル５ａが使用される。チャネル５ｃをキャップ頂部１ａ及びキャップ底部１ｂの何れかに機械加工することができる。一つのみのチャネル５ｃが図２に示されているが、典型的に４乃至８のチャネルが使用される。更に、溝（図示せず）を誘電体層１ｃの頂部表面に与え、図１と関連して説明された冷却媒体ガス分配を容易にすることができる。
キャップ頂部をキャップ底部に機械的にクランプすると、キャップ構成要素間に適当な熱伝達が生じるが、ヘリウムの様な熱伝導ガスを、キャップ底部１ｂの上方の表面とキャップ頂部１ａの下方の表面との間に導入することによって改良を施すことができる。簡単のためには、水冷却に使用されたのと同じヘリウム供給を、キャップ構成要素１ａ及び１ｂ間のヘリウム供給に使用することができるが、異なるガス圧が必要とされる場合は、別の供給を使用することができる。
図２の２つの小片電極キャップを、冷却チャネル、温度センサ等の様な、図１を参照して記述される電極キャップの別の要素を追加して組み込むことができる。簡単のために、これらの追加的特徴は図２には示されていない。図１を参照して上述された能動温度制御が同じ方法で図２の電極キャップを用いて使用される。
図３及び４は、本発明の追加的実施の形態を示している。図３において、２つ又は３つの小片電極キャップが示されている。図３及び４中のキャップは、電極キャップ底部１ｂのより上方の表面に取り付けられた分散型抵抗ヒータを含む。これらのヒータは電極キャップ頂部１ａ又は電極キャップ底部１ｂ内に設置することができる。抵抗ヒータは図３に示される様なスパイラル巻きケーブルヒータ１７とすることができるし、また、図４に示される様に、薄い環状ストリップ又はマイカ箔ヒータ１８とすることができる。ケーブルヒータ１７、例えば、ニクロムワイヤヒータが、好ましいが、その理由は、キャップ頂部１ａとキャップ底部１ｂとの間に相対的に大きな界面を許容し、熱伝達を改善するからである。例えば、ヒータは、１／１６インチ径、６５インチ長とすることができ、ステンレススチールシースを有していて、約５００Ｗを１２０Ｖで与えることができる。ケーブルはスパイラル機械加工されたキャップ底部１ｂ内に押し込まれて挿入され、キャップ底部１ｂ上に平坦な上面を生じる。好ましくは、ケーブルヒータを鋳造キャップ底部の型内に埋め込むことができる。
代替的に、図４内のマイカ箔ヒータ１８は、全ての側面において、マイカ絶縁によって包み込まれたエッチチングされた箔から構成される。これらのマイカ箔ヒータは、典型的には１mm厚よりも薄い。２６０℃で動作して、１００Ｗ／平行インチ程度を容易に与えることができる。代替的に、これらのマイカヒータは、（典型的には、５mm厚未満である）スチールシースに包むことができ、５０Ｗ／平方インチ迄の電力密度を提供することができる。別の環状ヒータは、例えば、窒化ボロンヒータを使用することも出来る。
図３及び４に記述される実施の形態は、冷却チャネル及び温度センサの様な図１及び２を参照して記述された電極キャップの別の要素を追加的に組み込むことが出来る。簡単のために、これらの追加的特徴は図３及び４に示されていない。更に、図３又は４の電極キャップと共に使用される場合、図１の下方電極２は、抵抗カートリッジヒータ１０を含むことが出来ない場合がある。図１を参照して記述されたフィードバック制御の使用を通して達成される能動温度制御は、加熱電圧を、抵抗カートリッジ加熱要素１０の代わりに、又はそれに加えて、ケーブル又は箔加熱要素に供給することができることを除いて同じ仕方で図３及び４の電極キャップを用いて使用される。
上述の詳細な説明は、本発明に従う能動温度制御を伴う静電チャックの種々の形態を記述しているが、上記記述は、説明のためのものであり、開示された発明を限定する意図はない。他の種々の変更が、請求の範囲に規定される本発明の精神及び範囲から離れることなしに行うことができることは明らかであろう。
【図１】
0004149002.tif 000002
【図２】
0004149002.tif 000003
【図３】
0004149002.tif 000004
【図４】
0004149002.tif 000005